(57)【特許請求の範囲】
【請求項１】
梁材に取り付けられた野縁受け吊り具に、ボルトが垂直に吊り下げられた状態で支持され、ボルトの下端部には、天井の下地骨を構成する野縁を直行状態で支持するように、野縁受けが吊り下げられた状態で水平に支持される野縁受け支持構造であって、
断面コ字状の溝型鋼によって構成された直線状に延びる野縁受けに対して、スライド可能に嵌合する野縁受け支持具が、野縁受け吊り具に、吊り下げられた状態で取り付けられており、
野縁受け支持具は、ボルトの下端部にネジ結合される雌ネジ部が下方に突出するように設けられている長方形状の上面部と、この上面部の正面側の側縁から下方に向かって直角に屈曲された正面部と、上面部の背面側の側縁から下方に向かって直角に屈曲された背面部と、この背面部の下端縁から正面側に向かって直角に屈曲された下面部と、正面部の下端縁から背面部に向かって直角に屈曲された係合部とを有し、
野縁受けは、各側縁部を上側および下側として、その開口部が野縁受け支持具の背面部とは反対側に位置した状態で、下側の側縁部が野縁受け支持具の下面部上に支持されるとともに、上側の側縁部が、野縁受け支持具の係合部上にて支持されて、野縁受け支持具内にスライド可能に嵌合されるとともに、
野縁受けの上側の側縁部に、野縁受け支持具の上面部の雌ネジ部にネジ結合されたボルトの下端面が押圧された状態で、このボルトにネジ結合されたナットが、野縁受け支持具の上面部に当接するように調整されていることを特徴とする野縁受け支持構造。
【発明の詳細な説明】
【０００１】
【発明の属する技術分野】
本発明は、天井下地組を構成する野縁を支持する野縁受けを、梁材に対して水平状態で支持するようになった野縁受け支持構造に関する。
【０００２】
【従来の技術】
建物における天井の下地組では、通常、直線状に延びる野縁受けが、梁材に対して吊り下げられた状態で水平に支持されており、この野縁受けに、下地骨となる野縁が直交状態で支持されている。図５は、野縁を支持するために配置される野縁受けの支持構造を示す分解斜視図である。断面コ字状の溝型鋼によって構成された直線状に延びる野縁受け１４は、各側縁部が、それぞれ上下になるように配置されており、各側縁部には、軸心方向に適当な間隔をあけて複数の貫通孔１４ａが、それぞれ設けられている。各貫通孔１４ａは、野縁受け１４の長さ等によって予め設定された所定位置にそれぞれ設けられている。野縁受け１４を支持する野縁受け吊り具１２は、水平状態に配置される梁材に対して、野縁受け１４に設けられた各貫通孔１４ａに対応した位置にそれぞれ取り付けられる。
【０００３】
梁材に取り付けられた各野縁受け吊り具１２には、ボルト１７の上端部が一対のナット１８によってそれぞれ取り付けられており、各ボルト１７の下端部が、野縁受け１４における上側の側縁部に設けられた所定の貫通孔１４ａ内に挿入されて、野縁受け１４の上側の側縁部を上下方向から挟むように配置された一対のナット１９によって、その側縁部に取り付けられている。
【０００４】
梁材に取り付けられた各野縁受け吊り具１２によって、野縁受け１４が水平状態に支持されると、野縁受け１４の下側の側縁部に、複数の野縁支持具が適当な間隔をあけて取り付けられて、各野縁支持具によって、野縁が、野縁受け１４に対して直交状態でそれぞれ支持される。
【０００５】
【発明が解決しようとする課題】
このような野縁受け支持構造では、野縁受け１４の所定位置に予め設けられた貫通孔１４ａに対応した位置に、野縁受け吊り具１２をそれぞれ取り付けて、各野縁受け吊り具１２に吊り下げられたボルト１７を貫通孔１４ａ内にそれぞれ挿入して、各ボルト１７にネジ結合された一対のナット１９によって野縁受け１４を固定する必要がある。しかしながら、ブレース等が交差していると、野縁受け吊り具１２に吊り下げられたボルト１７を野縁受け１４の貫通孔１４ａに挿入することができなくなり、野縁受け吊り具１２にて野縁受け１４を支持することができなくなるおそれがある。
【０００６】
本発明は、このような問題を解決するものであり、その目的は、野縁受けにおける貫通孔によって野縁受けを支持することができない場合にも、野縁受けを支持することができる野縁受け支持構造を提供することにある。
【０００７】
【課題を解決するための手段】
本発明の野縁受け支持構造は、梁材に取り付けられた野縁受け吊り具に、ボルトが垂直に吊り下げられた状態で支持され、ボルトの下端部には、天井の下地骨を構成する野縁を直行状態で支持するように、野縁受けが吊り下げられた状態で水平に支持される野縁受け支持構造であって、断面コ字状の溝型鋼によって構成された直線状に延びる野縁受けに対して、スライド可能に嵌合する野縁受け支持具が、野縁受け吊り具に、吊り下げられた状態で取り付けられており、野縁受け支持具は、ボルトの下端部にネジ結合される雌ネジ部が下方に突出するように設けられている長方形状の上面部と、この上面部の正面側の側縁から下方に向かって直角に屈曲された正面部と、上面部の背面側の側縁から下方に向かって直角に屈曲された背面部と、この背面部の下端縁から正面側に向かって直角に屈曲された下面部と、正面部の下端縁から背面部に向かって直角に屈曲された係合部とを有し、
野縁受けは、各側縁部を上側および下側として、その開口部が野縁受け支持具の背面部とは反対側に位置した状態で、下側の側縁部が野縁受け支持具の下面部上に支持されるとともに、上側の側縁部が、野縁受け支持具の係合部上にて支持されて、野縁受け支持具内にスライド可能に嵌合されるとともに、野縁受けの上側の側縁部に、野縁受け支持具の上面部の雌ネジ部にネジ結合されたボルトの下端面が押圧された状態で、このボルトにネジ結合されたナットが、野縁受け支持具の上面部に当接するように調整されていることを特徴とする。
【０００８】
【発明の実施の形態】
以下、本発明の実施の形態を、図面に基づいて詳細に説明する。
【０００９】
図１は、本発明の野縁受け支持構造の実施の形態の一例を示す天井下地組の断面図、図２は、その要部の正面図、図３はその斜視図である。この天井下地組は、水平に配置された梁材１１に、適当な間隔をあけて複数の野縁受け吊り具１２がそれぞれ取り付けられており、各野縁受け吊り具１２に、ボルト１７がそれぞれ垂直に吊り下げられた状態で支持されている。各ボルト１７の下端部には、直線状に延びる断面コ字状の野縁受け１４が吊り下げられた状態で水平に支持されている。この野縁受け１４には、適当な間隔をあけて複数の野縁支持具１５が取り付けられており、各野縁支持具１５によって、直線状に延びる断面四角形の中空パイプ状をした野縁１６が、野縁受け１４に対してそれぞれ直交状態で支持されている。
【００１０】
梁材１１は、Ｉ型鋼によって構成されており、各フランジ部１１ａが上側および下側になるように配置されている。そして、下側のフランジ部１１ａにおける一方の側縁部に、複数の野縁受け吊り具１２が適当な間隔をあけて取り付けられている。
【００１１】
野縁受け吊り具１２は、鋼板を屈曲成形して構成されており、相互に平行な状態で垂直に配置される一対の脚部１２ａと、各脚部１２ａの上端縁同士を連結して水平に配置される上面部１２ｂとによって、断面下向きコ字状に形成されている。上面部１２ｂは、各脚部１２ａに対して一方の側方に水平に延出しており、その延出した部分にボルト挿通孔が設けられている。このボルト挿通孔には。ボルト１７が挿通されて、ボルト１７の上部が、野縁受け吊り具１２の上面部１２ｂを挟んで配置された一対のナット１８によって、その上面部１２ｂに取り付けられている。ボルト１７は垂直状態で垂下した状態になっている。
【００１２】
野縁受け吊り具１２の各脚部１２ａには、梁材１１における下側フランジ部１１ａの側縁部に係合されるように、ボルト１７の遠方側の側部に、水平に切欠部１２ｃがそれぞれ設けられている。各切欠部１２ｃは、梁材１１における下側のフランジ部１１ａの側縁部に係合されるように、各脚部１２ａの側縁に開口した状態になっている。
【００１３】
野縁受け吊り具１２に垂直に支持されたボルト１７の下端部は、通常、野縁受け１４の上側の側縁部に設けられた各貫通孔内に挿入されて、一対のナットによって野縁受け１４の上側の側縁部に取り付けられるようになっているが、野縁受け１４に設けられた貫通孔にボルト１７を挿入することができない場合には、必要に応じて、野縁受け１４にスライド可能に嵌合して支持する野縁受け支持具１３が取り付けられる。
【００１４】
図４（ａ）は、ボルト１７の下端部に取り付けられた野縁受け支持具１３の側面図、図４（ｂ）は、ボルト１７が取り外された野縁受け支持具１３の平面図、図４（ｃ）は、その正面図である。この野縁受け支持具１３は、鋼板を屈曲成形して構成されており、ボルト１７の下端部に水平に取り付けられる長方形状の上面部１３ａと、この上面部１３ａの正面側の側縁から下方に向かって直角に屈曲された正面部１３ｂと、上面部１３ａの背面側の側縁から下方に向かって直角に屈曲された背面部１３ｃと、この背面部１３ｃの下端縁から正面側に向かって直角に屈曲された下面部１３ｄとを有している。
【００１５】
野縁受け支持具１３の上面部１３ａの中央部には、ボルト１７の下端部にネジ結合される雌ネジ部１３ｅが下方に突出するように設けられている。上面部１３ａの正面側の側縁から下方に向かって直角に屈曲された正面部１３ｂの下端縁は、上面部１３ａの背面側の側縁から下方に向かって屈曲された背面部１３ｃの上下方向の中程に位置しており、その下端縁から背面部１３ｃに向かって直角に係合部１３ｆが屈曲されている。係合部１３ｆは、下面部１３ｄに対して適当な間隔があけられており、上面部１３ａの１／３程度の長さにわたって背面部１３ｃ側に延出している。
【００１６】
正面部１３ｂの中央部には貫通孔１３ｇが設けられており、また、下面部１３ｄの中央部にも貫通孔１３ｈが設けられている。
【００１７】
このような野縁受け支持具１３は、上面部１３ａの中央部に設けられた雌ネジ部１３ｅに、ボルト１７の下端部がネジ結合されて、上面部１３ａの上側にてボルト１７にネジ結合されたナット１９によって、ボルト１７の所定位置に固定される。そして、断面コ字状の溝型鋼によって構成された野縁受け１４が、野縁受け支持具１３内にスライド可能に嵌合されて支持される。この場合、野縁受け１４は、各側縁部を上側および下側として、その開口部を野縁受け支持具１３の背面部１３ｃとは反対側に位置した状態で、下側の側縁部が野縁受け支持具１３の下面部１３ｄ上に支持されるとともに、野縁受け１４の上側の側縁部が、野縁受け支持具１３の係合部１３ｆ上にて支持される。そして、野縁受け支持具１３にて支持される野縁受け１４の上側の側縁部に、野縁受け支持具１３を支持するボルト１７の下端面が押圧されて、ナット１９が野縁受け支持具１３の上面部１３ａに当接するように調整される。
【００１８】
梁材１１に取り付けられた複数の野縁受け吊り具１２に対して１本の野縁受け１４が吊り下げられた状態で水平に支持されると、野縁受け１４の下側の側縁部に複数の野縁支持具１５が取り付けられて、各野縁支持具１５によって、野縁１６が、野縁受け１４に対して直交状態になるように、それぞれ支持される。
【００１９】
なお、野縁受け１４は、通常、上下方向の厚さが３０ｍｍの溝型鋼が使用されるが、野縁受け１４がブレースと干渉するような場合には、上下方向の厚さが２０ｍｍの溝型鋼が使用されることがある。このような上下方向の厚さが２０ｍｍの野縁受け１４を使用する場合にも、野縁受け支持具１３によって、確実に支持することができる。
【００２０】
【発明の効果】
本発明の野縁受け支持構造は、このように、野縁受け吊り具によって吊り下げられた野縁受け支持具に野縁受けがスライド可能に嵌合されて、野縁受けが支持されるようになっているために、野縁受けに設けられた貫通孔を利用することができない場合にも、野縁受けを支持することができる。
【図面の簡単な説明】
【図１】本発明の野縁受け支持構造の実施の形態の一例を示す天井下地組の断面図である。
【図２】その野縁受け支持構造の要部を示す正面図である。
【図３】その斜視図である。
【図４】（ａ）その野縁受け支持構造に使用される野縁受け支持具の正面図、（ｂ）は、ボルトを取り外した状態の野縁受け支持具の平面図、（ｃ）は、その野縁受け支持具の側面図である。
【図５】従来の野縁受け支持構造の一例を示す要部の分解斜視図である。
【符号の説明】
１１    梁材
１２    野縁受け吊り具
１２ａ  脚部
１２ｂ  上面部
１２ｃ  切欠部
１３    野縁受け支持具
１３ａ  上面部
１３ｂ  正面部
１３ｃ  背面部
１３ｄ  下面部
１３ｅ  雌ネジ部
１３ｆ  係合部
１４    野縁受け
１５  野縁支持具
１６  野縁
１７  ボルト
１８  ナット
１９  ナット
【図１】
0003559146.tif 000002
【図２】
0003559146.tif 000003
【図３】
0003559146.tif 000004
【図４】
0003559146.tif 000005
【図５】
0003559146.tif 000006